(57)【要約】【課題】圃場から飛散する泥で動力伝達部が汚れることを防止することができる湛水直播機を提供することを課題とする。【解決手段】圃場に水稲の種子を直接播くものであり、種子を繰出す繰出し部４２を備える播種装置４０と、圃場に溝を切る作溝器５０と、を具備する、湛水直播機３０であって、播種装置４０は、繰出し部４２に種子を繰出す動作をさせる動力が動力伝達部３５を介して伝達されるように構成され、作溝器５０は、動力伝達部３５の下方に作溝器５０の作溝板５１が位置するように構成される。【選択図】図２
2013021943.tif 000002
【特許請求の範囲】
【請求項１】
圃場に水稲の種子を直接播くものであり、前記種子を繰出す繰出し部を備える播種装置と、前記圃場に溝を切る作溝器と、を具備する、湛水直播機であって、
前記播種装置は、前記繰出し部に種子を繰出す動作をさせる動力が動力伝達部を介して伝達されるように構成され、
前記作溝器は、前記動力伝達部の下方に前記作溝器の作溝板が位置するように構成される、
湛水直播機。
【請求項２】
前記播種装置は、複数台配置され、
前記動力伝達部は、前記複数台の播種装置のうち隣接する二台の播種装置間に形成される空間に配置される、
請求項１に記載の湛水直播機。
【発明の詳細な説明】
【技術分野】
【０００１】
本発明は、湛水直播機の技術に関する。
【背景技術】
【０００２】
従来、圃場に水稲の種子を直接播くものであり、種子を繰出す繰出し部を備える播種装置を具備する、湛水直播機に関する技術は、公知となっている（特許文献１参照）。
このような湛水直播機には、動力伝達部を介して動力（例えば、エンジンからの動力）が播種装置の繰出し部に伝達することによって、当該繰出し部が種子を繰出す動作をするように構成されるものがある。
【先行技術文献】
【特許文献】
【０００３】
【特許文献１】特開２００１−１４８９１１号公報
【発明の概要】
【発明が解決しようとする課題】
【０００４】
しかしながら、このような湛水直播機では、播種作業時に圃場から泥が飛散し、その泥によって動力伝達部が汚れる場合がある。また、このように泥が飛散することは、動力伝達部が汚れるばかりでなく、泥が噛み込んで播種装置が故障する（播種装置の動作不良が発生する）一因となる。
【０００５】
本発明は以上の如き状況に鑑みてなされたものであり、圃場から飛散する泥で動力伝達部が汚れることを防止することができる湛水直播機を提供することを課題とする。
【課題を解決するための手段】
【０００６】
本発明の解決しようとする課題は以上の如くであり、次にこの課題を解決するための手段を説明する。
【０００７】
即ち、請求項１においては、圃場に水稲の種子を直接播くものであり、前記種子を繰出す繰出し部を備える播種装置と、前記圃場に溝を切る作溝器と、を具備する、湛水直播機であって、前記播種装置は、前記繰出し部に種子を繰出す動作をさせる動力が動力伝達部を介して伝達されるように構成され、前記作溝器は、前記動力伝達部の下方に前記作溝器の作溝板が位置するように構成されるものである。
【０００８】
請求項２においては、前記播種装置は、複数台配置され、前記動力伝達部は、前記複数台の播種装置のうち隣接する二台の播種装置間に形成される空間に配置されるものである。
【発明の効果】
【０００９】
本発明の効果として、以下に示すような効果を奏する。
【００１０】
即ち、請求項１に係る発明によれば、圃場から飛散する泥で動力伝達部が汚れることを防止することができる。
【００１１】
請求項２に係る発明によれば、湛水直播機が大型化することが抑制される。
【図面の簡単な説明】
【００１２】
【図１】本発明の実施形態に係る湛水直播機が装着される走行機体の全体的な構成を示した側面図。
【図２】本発明の実施形態に係る湛水直播機を示した背面図。
【図３】同じく平面模式図。
【図４】同じく側面図。
【図５】同じく側面図。
【図６】本発明の実施形態に係る湛水直播機における作溝器の作溝板を示した正面図。
【図７】同じく平面図。
【図８】同じく側面図。
【図９】本発明の実施形態に係る湛水直播機を示した側面図。
【図１０】同じく背面図。
【発明を実施するための形態】
【００１３】
次に、本発明の実施形態に係る湛水直播機３０について、図１から図１０を用いて説明する。
【００１４】
まず、湛水直播機３０が装着された走行機体１の全体的な構成について説明する。
走行機体１は、図１に示すように、走行部１０と昇降リンク機構２０とを具備し、走行機体１の後部に昇降リンク機構２０を介して湛水直播機３０が装着される。また、走行機体１における走行部１０の後部上には、施肥機１７が搭載される。湛水直播機３０の後部上に薬剤散布装置１６が搭載される。
【００１５】
走行機体１の走行部１０では、エンジン２が機体の前部に設けられて、ボンネット４により被覆される。ミッションケースが機体の前部に支持されて、エンジン２の後下方に配置される。
【００１６】
フロントアクスルケース５が機体の前部に支持され、前車輪６が当該フロントアクスルケース５の左右両側に支承される。リアアクスルケース７が機体の後部に支持され、後車輪８が当該リアアクスルケース７の左右両側に支承される。
【００１７】
そして、エンジン２の動力が前記ミッションケースを介して左右の前車輪６と左右の後車輪８とにそれぞれ伝達されて、これらの前車輪６および後車輪８が回転駆動するように構成される。これにより、走行機体１が前進又は後進走行可能とされる。
【００１８】
走行部１０において、機体の前後中途部に運転操作装置１１が設けられる。運転操作装置１１の前部には、操向操作用の環状の操向ハンドル１２、各種操作ペダル１３、ダッシュボード１４などが配置される。運転操作装置１１の後部には、運転席１５が操向ハンドル１２の後方に位置するように配置される。
【００１９】
ダッシュボード１４の上には、操向ハンドル１２に加えて、各種の操作具や表示装置が配置される。これらの操作具、操向ハンドル１２、各種操作ペダル１３等によって、走行部１０等の操作を行うことが可能とされる。
【００２０】
機体の後部には、昇降リンク機構２０が具備される。昇降リンク機構２０は、左右一対の上リンク２１・２１、左右一対の下リンク２２・２２、回転アーム２５、及び油圧シリンダ２６等を備える。
【００２１】
一対の上リンク２１・２１は、左右方向に間隔を空けて相互に平行に設けられる。上リンク２１・２１の一端部（前端部）は、軸部材２３を支点として上下方向に回転可能に機体後部に支持される。上リンク２１・２１の他端部（後端部）は、湛水直播機３０の前端に取付けられる。
一対の下リンク２２・２２は、左右方向に間隔を空けて相互に平行に設けられる。下リンク２２・２２の一端部（前端部）は、軸部材２４を支点として上下方向に回転可能に機体後部に支持される。下リンク２２・２２の他端部（後端部）は、湛水直播機３０の前端に取付けられる。
【００２２】
回転アーム２５は棒状の部材であり、その一端部（下端部）は下リンク２２・２２の間に固定される。
油圧シリンダ２６は、機体後部に装着される湛水直播機３０を昇降させるためのアクチュエータである。油圧シリンダ２６の一端部は、回転アーム２５の他端部（上端部）に連結される。油圧シリンダ２６の他端部は、機体に連結される。
そして、走行機体１は、油圧シリンダ２６を伸縮させることにより、回転アーム２５、上リンク２１・２１、および、下リンク２２・２２、を回動させて、湛水直播機３０を昇降させるように構成される。
【００２３】
湛水直播機３０は、水を湛えた状態の圃場（水田）に水稲の種子を直接播くものであり、図１乃至図３に示すように、播種フレームと、播種フレームに取付けられるフロート３１と、マーカー３２と、播種装置４０と、第一伝達軸３３と、第二伝達軸３４と、作溝器５０と、を具備する。
【００２４】
湛水直播機３０のフロート３１は、センターフロートとサイドフロート等からなり、泥中に沈まないように播種装置４０を支持する。湛水直播機３０のマーカー３２は、播種フレームの左右両側に上下回動可能に支持され、枕地で回行して次の条の播種をおこなう時の目印を圃場上に付けるものである。
【００２５】
湛水直播機３０の播種装置４０は、所定の間隔を空けて左右方向に並べて複数台配置される。本実施形態では、湛水直播機３０の播種装置４０は、左方に二台配置され、右方に二台配置される。なお、湛水直播機３０の播種装置４０は、後述する繰出し部４２が合計８台備えられて、８条播きの構成とされる。但し、繰出し部４２が備えられる台数はこれに限定しない。
湛水直播機３０の播種装置４０は、図２乃至図４に示すように、種子ホッパ４１と、二つの繰出し部４２・４２と、二つの筒体４３・４３と、を備え、繰出し部４２・４２によって繰出された種子を筒体４３・４３の下端の開口から排出するように構成される。
【００２６】
湛水直播機３０における播種装置４０の種子ホッパ４１は、種子が収容されるものであり、その下方部の左方の下面および下方部の右方の下面からそれぞれ下方に突出して、二股状に分岐するように形成される。播種装置４０の種子ホッパ４１は、前記下方に突出するそれぞれの部分が下方にいくに従ってそれぞれ縮径（縮小）されるように形成される。
湛水直播機３０の播種装置４０は、前記種子ホッパ４１の下方部における左方および右方の下方に突出する部分のそれぞれの下端に、繰出し部４２・４２がそれぞれ配置され、当該繰出し部４２・４２のそれぞれの下端に筒体４３・４３が下方に突出するようにそれぞれ設けられて構成される。
湛水直播機３０における播種装置４０の繰出し部４２は、種子ホッパ４１に収納された種子を繰出すものであり、筒状の繰出ケース内に、目皿駆動軸４２ａ、目皿、および、規制円板等が収納されて構成される。
湛水直播機３０における播種装置４０の繰出し部４２の目皿駆動軸４２ａは、繰出ケースの軸心方向に上方から下方へ挿入される。播種装置４０の繰出し部４２の目皿駆動軸４２ａの下端には、目皿が固定される。播種装置４０の繰出し部４２の目皿は、外周に沿って所定間隔毎に複数の目皿孔が開口されて構成される。
そして、湛水直播機３０における播種装置４０の繰出し部４２では、その目皿駆動軸４２ａが回転して当該目皿駆動軸４２ａに固定された目皿が回転することによって、当該目皿の目皿孔に収納された種子が規制円板に開口した落下孔から落下する。
このようにして、湛水直播機３０における播種装置４０の繰出し部４２は、目皿の目皿孔に収納された種子を繰出す動作をするように構成される。
【００２７】
湛水直播機３０の第一伝達軸３３は、第二伝達軸３４を駆動させるものである。
湛水直播機３０の第一伝達軸３３は、ミッションケースに入力されたエンジン２からの動力が走行部１０の後部に設けられたＰＴＯ軸３等を介して伝達され、当該動力を第二伝達軸３４に伝達するように構成される。
湛水直播機３０の第一伝達軸３３と第二伝達軸３４は、播種フレームの前上部に、左右水平方向に支持される。湛水直播機３０の第一伝達軸３３は、左方の二台の播種装置４０・４０間から右方の二台の播種装置４０・４０間に亘るように横設される。湛水直播機３０の第一伝達軸３３は、その軸心方向に対して周方向に回転するように構成される。
湛水直播機３０の第一伝達軸３３は、その左右中央部がギアケース３６内に収納される。湛水直播機３０では、ギアケース３６内から前方に突出するように入力軸３７が配置される。また、湛水直播機３０の入力軸３７は、ユニバーサルジョイントや伝動軸等を介してＰＴＯ軸３と連動連結される。
そして、湛水直播機３０は、ギアケース３６内において入力軸３７のベベルギアと第一伝達軸３３のベベルギアとが噛合されて、ＰＴＯ軸３、ユニバーサルジョイント、および、伝動軸等を介して、エンジン２からの動力が、第一伝達軸３３に伝達されるように構成される。
【００２８】
湛水直播機３０の第二伝達軸３４は、播種装置４０における各繰出し部４２・４２の各目皿駆動軸４２ａ・４２ａを駆動させるものである。
湛水直播機３０の第二伝達軸３４は、左方と右方とにそれぞれ配置される。湛水直播機３０の左方の第二伝達軸３４と右方の第二伝達軸３４とは、同一軸心上に配置される。
湛水直播機３０の左方の第二伝達軸３４は、左方における二台の播種装置４０・４０の繰出し部４２・４２・４２・４２（目皿駆動軸４２ａ・４２ａ・４２ａ）に、前記第一伝達軸３３から伝達された動力を伝達するように構成される。湛水直播機３０の右方の第二伝達軸３４は、右方における二台の播種装置４０・４０の繰出し部４２・４２・４２・４２（目皿駆動軸４２ａ・４２ａ・４２ａ）に、前記第一伝達軸３３から伝達された動力を伝達するように構成される。
【００２９】
湛水直播機３０の左方の第二伝達軸３４は、第一伝達軸３３よりも後方に配置されるとともに、その軸心方向が第一伝達軸３３の軸心方向と平行になるように配置される。湛水直播機３０左方の第二伝達軸３４は、左方の二台の播種装置４０・４０におけるそれぞれの繰出し部４２・４２・４２・４２のケース内を貫通するように横設される。
湛水直播機３０の左方の第二伝達軸３４は、その軸心方向に対して周方向に回転するように構成される。そして、湛水直播機３０の左方の第二伝達軸３４が回転することによって、左方における二台の播種装置４０・４０の繰出し部４２・４２・４２・４２の目皿駆動軸４２ａ・４２ａ・４２ａが回転するように構成される。
なお、湛水直播機３０の右方の第二伝達軸３４は、左方の第二伝達軸３４と同様の構成であるため、その説明を省略する。
【００３０】
湛水直播機３０の作溝器５０は、支持杆５５と支持ブラケット５６と作溝板５１と支持棒５２と付勢バネ５７とを備え、作溝板５１の下面を圃場面に押付けた状態で走行機体１が走行することにより圃場に溝（断面略Ｖ字状の溝）を切るものである。
湛水直播機３０の作溝器５０は、湛水直播機３０の下部に配置される。湛水直播機３０の作溝器５０は、左右それぞれに配置される動力伝達部３５・３５の近傍にそれぞれ配置される。湛水直播機３０の作溝器５０は、作溝器５０の作溝板５１が動力伝達部３５の下方に位置するように構成される。
【００３１】
作溝器５０の支持杆５５は上下方向に配設される。作溝器５０の支持杆５５は、上下高さ調節可能に、その上部が播種フレームに取付けられて構成される。
作溝器５０の支持ブラケット５６は、左右二枚の板材で構成される。作溝器５０の支持ブラケット５６の二枚の板材の間の上前部には、支持杆５５の下端が固定される。
作溝器５０の支持ブラケット５６の上前後中途部には、支持棒５２の前端が支持軸５２ａにより枢支される。作溝器５０の支持棒５２は、支持軸５２ａを中心に上下方向に回動自在に構成される。作溝器５０の支持棒５２の後端部には作溝板５１が固定される。
【００３２】
湛水直播機３０における作溝器５０の作業姿勢時（作溝器５０による作溝作業時）には、作溝板５１および支持棒５２を下方（作溝器５０の作溝板５１を圃場に近接する方向）に回動させて、その作溝板５１の下面を圃場に押付けるようにする。湛水直播機３０の作溝器５０は、作溝板５１および支持棒５２を下方に回動させた状態（作溝器５０の作業姿勢時）においても、作溝板５１が動力伝達部３５の下方に位置するように構成される。
作溝器５０の非作業姿勢時には、作溝板５１および支持棒５２を上方（作溝器５０の作溝板５１を圃場に離間する方向）に回動させた状態にする（図５参照）。
【００３３】
作溝器５０の付勢バネ５７はねじりバネで構成され、その中央部が支持軸５２ａに支持され、その一端が支持ブラケット５６の前部より側方に突出した掛止ピン５７ａに掛止され、その他端が支持棒の中途部より突出した掛止ピン５７ｂに掛止される。このようにして、作溝器５０の作溝板５１および支持棒５２は、作溝板５１および支持棒５２が下方へ回動するように付勢バネ５７によって付勢される。
作溝器５０の支持ブラケット５６の後部には、ストッパピン５８が挿入可能なピン孔５６ａ・５６ｂが上下に開口される。
作溝器５０の作業姿勢時には、下方のピン孔５６ｂにストッパピン５８を挿入して、前記下方に付勢される支持棒５２を当該ストッパピン５８で下方から支えるような状態とする。作溝器５０の非作業姿勢時には、上方のピン孔５６ａにストッパピン５８を挿入して、前記下方に付勢される支持棒５２を当該ストッパピン５８で下方から支えるような状態とする。
【００３４】
ここで、湛水直播機３０の動力伝達部３５は、播種装置４０の繰出し部４２に種子を繰出す動作をさせる動力が伝達する部分である。より詳細には、湛水直播機３０の動力伝達部３５は、第一伝達軸３３からの動力が、第二伝達軸３４に伝達する部分である。湛水直播機３０の動力伝達部３５は、左方と右方とにそれぞれ配置される。
湛水直播機３０の左方の動力伝達部３５は、第一伝達軸３３の左端部に設けられる平ギア３３ａと左方の第二伝達軸３４の左右中央に設けられる平ギア３４ａとが噛合されて、第一伝達軸３３の回転動力が第二伝達軸３４に伝達するように構成される。湛水直播機３０の右方の動力伝達部３５は、第一伝達軸３３の右端部に設けられる平ギア３３ａと右方の第二伝達軸３４の左右中央に設けられる平ギア３４ａとが噛合されて、第一伝達軸３３の回転動力が第二伝達軸３４・３４に伝達するように構成される。
そして、湛水直播機３０では、第一伝達軸３３が回転すると、第一伝達軸３３の回転方向と反対方向に第二伝達軸３４が回転する。前記第二伝達軸３４が回転すると、播種装置４０における繰出し部４２の目皿駆動軸４２ａが回転する。
このようにして、湛水直播機３０の動力伝達部３５は、エンジン２からの動力が、第一伝達軸３３から第二伝達軸３４に伝達して、播種装置４０における繰出し部４２の目皿駆動軸４２ａに伝達するように構成される。
そして、湛水直播機３０では、エンジン２からの動力が第一伝達軸３３から動力伝達部３５を介して伝達して、第二伝達軸３４から繰出し部４２の目皿駆動軸４２ａに伝達することによって、播種装置４０の繰出し部４２が種子を繰出す動作をする。
以上のようにして、湛水直播機３０は、播種装置４０の繰出し部４２に種子を繰出す動作をさせる動力が動力伝達部３５を介して伝達されるように構成される。
なお、湛水直播機３０は、第一伝達軸３３の平ギア３３ａの歯数を第二伝達軸３４の平ギア３４ａの歯数よりも少なくして、第一伝達軸３３から第二伝達軸３４に減速して動力を伝達するように構成される。
【００３５】
このように、湛水直播機３０の作溝器５０は、作溝器５０の作溝板５１が動力伝達部３５の下方に位置するように構成される。
このため、湛水直播機３０では、圃場から飛散する泥を作溝器５０の作溝板５１によって遮断するようにして、当該泥が動力伝達部３５の方向に飛散することを防止することができる。
したがって、湛水直播機３０では、圃場から飛散する泥で動力伝達部３５が汚れることを防止することができる。
【００３６】
また、湛水直播機３０は、作溝器５０の作業姿勢時に、作溝器５０の作溝板５１が動力伝達部３５の下方に位置するように構成される。
つまり、湛水直播機３０における作溝器５０の作業姿勢時に、作溝器５０の作溝板５１は、圃場における作溝器５０の作溝板５１によって作業（作溝）される部分と動力伝達部３５との間に位置する。
このため、湛水直播機３０における作溝器５０の作業姿勢時に、作溝器５０によって作業されることで圃場から飛散する泥が動力伝達部３５の方向に飛散することを抑制することができる。
【００３７】
湛水直播機３０における作溝器５０の作溝板５１は、図６乃至図８に示すように、平板状の部材を正面視で略Ｖ字状に形成するようにして構成される。作溝器５０の作溝板５１は、上方、前方、および、後方が開口するとともに、前端から後端に亘って左右中央部が下方に突出するように形成される。作溝器５０の作溝板５１の中央部の谷部の前部には、支持棒５２の後部が固定される。
作溝器５０の作溝板５１は、左右上端部のそれぞれに突出部５３Ｌ・５３Ｒを有する。
作溝器５０における作溝板５１の左方の突出部５３Ｌは、上端から左上方に突出するように形成される。作溝器５０における作溝板５１の右方の突出部５３Ｒは、上端から右上方に突出するように形成される。作溝器５０における作溝板５１の左前上部および右前上部は、前下後上に斜めに切欠かれるようにそれぞれ形成される。
作溝器５０の作溝板５１は、その左方の突出部５３Ｌの左端から右方の突出部５３Ｒの右端までの幅（左右方向の幅）が、動力伝達部３５の左右方向の幅に比べて大きく構成される。
【００３８】
湛水直播機３０における作溝器５０の作溝板５１は、このように構成される突出部５３Ｌ・５３Ｒを有するため、作溝器５０（作溝板５１）によって作られる溝の両側の盛上がる部分を作溝板５１の突出部５３Ｌ・５３Ｒで押さえるようにするとともに、圃場から飛散する泥を作溝板５１の突出部５３Ｌ・５３Ｒによって遮断するようにして、当該泥が動力伝達部３５の方向に飛散することをより確実に防止することができる。
よって、湛水直播機３０では、圃場から飛散する泥で動力伝達部３５が汚れることをより確実に防止することができる。
【００３９】
ここで、湛水直播機３０の第二伝達軸３４は、図２または図３に示すように、左方第二伝達軸３４Ｌと右方第二伝達軸３４Ｒとで構成される。湛水直播機３０の左方第二伝達軸３４Ｌは、平ギア３４ａの左方に配置される。湛水直播機３０の右方第二伝達軸３４Ｒは、平ギア３４ａの右方に配置される。
また、湛水直播機３０における平ギア３４ａの左方の近傍と右方の近傍とには、それぞれクラッチ３８Ｌ・３８Ｒが配置される。湛水直播機３０における左方のクラッチ３８Ｌは、当該左方のクラッチ３８Ｌが入切されることによって、第一伝達軸３３からの動力が左方第二伝達軸３４Ｌに伝達／遮断されるように構成される。湛水直播機３０における右方のクラッチ３８Ｒは、当該右方のクラッチ３８Ｒが入切されることによって、第一伝達軸３３からの動力が右方第二伝達軸３４Ｒに伝達／遮断されるように構成される。
このようにして、湛水直播機３０は、左方または右方に配置される二台の播種装置４０・４０の繰出し部４２・４２・４２・４２に種子を繰出す動作をさせること、当該二台の播種装置４０・４０の繰出し部４２・４２・４２・４２に種子を繰出す動作を停止させること、または、当該二台の播種装置４０・４０のうち一方の播種装置４０の繰出し部４２・４２のみに種子を繰出す動作をさせること、を可能に構成される。
そして、前記播種作業時に圃場から泥が飛散し、その泥によって湛水直播機３０のクラッチ３８Ｌ・３８Ｒが汚れる場合がある。このように泥が飛散することは、湛水直播機３０のクラッチ３８Ｌ・３８Ｒの入切の動作不良が発生する一因となる。
【００４０】
湛水直播機３０の作溝器５０は、作溝器５０の作溝板５１がクラッチ３８Ｌ・３８Ｒの下方に位置するように構成される。
このため、湛水直播機３０では、作溝器５０の作溝板５１によって、圃場から飛散する泥を作溝器５０の作溝板５１によって遮断するようにして、当該泥がクラッチ３８Ｌ・３８Ｒの方向に飛散することを防止することができる。
したがって、湛水直播機３０では、圃場から飛散する泥でクラッチ３８Ｌ・３８Ｒが汚れることを防止することができ、ひいては、湛水直播機３０のクラッチ３８Ｌ・３８Ｒの入切の動作不良の発生を防止することができる。
【００４１】
また、湛水直播機３０は、作溝器５０の作業姿勢時に、作溝器５０の作溝板５１がクラッチ３８Ｌ・３８Ｒの下方に位置するように構成される。
つまり、湛水直播機３０における作溝器５０の作業姿勢時に、作溝器５０の作溝板５１は、圃場における作溝器５０の作溝板５１によって作業（作溝）される部分とクラッチ３８Ｌ・３８Ｒとの間に位置する。
このため、湛水直播機３０における作溝器５０の作業姿勢時に、作溝器５０によって作業されることで圃場から飛散する泥がクラッチ３８Ｌ・３８Ｒの方向に飛散することを抑制することができる。
【００４２】
また、作溝器５０の作溝板５１は、左右上端部のそれぞれに突出部５３Ｌ・５３Ｒを有し、その左方の突出部５３Ｌの左端から右方の突出部５３Ｒの右端までの幅（左右方向の幅）が、左方のクラッチ３８Ｌの左端から右方のクラッチ３８Ｒの右端までの幅に比べて大きく構成される。
このように湛水直播機３０における作溝器５０の作溝板５１は、突出部５３Ｌ・５３Ｒを有するため、圃場から飛散する泥を作溝板５１の突出部５３Ｌ・５３Ｒによって遮断するようにして、当該泥がクラッチ３８Ｌ・３８Ｒの方向に飛散することをより確実に防止することができる。
よって、湛水直播機３０では、圃場から飛散する泥でクラッチ３８Ｌ・３８Ｒが汚れることをより確実に防止することができる。
【００４３】
湛水直播機３０における作溝器５０の作溝板５１は、図９に示すように、上方に開口する収納部５４を有し、作溝器５０は、その非作業姿勢時に、動力伝達部３５の少なくとも一部（例えば、第二伝達軸３４の平ギア３４ａの一部）を収納部５４内に配置可能に構成してもよい。
このとき、湛水直播機３０の作溝器５０は、その作溝板５１の回動軌跡上に動力伝達部３５の一部が位置するように配置される。作溝器５０は、作溝板５１を後上方（水平方向よりも上方）に回動させた状態で、作溝器５０の非作業姿勢となるように構成される。
作溝器５０の支持ブラケット５６の後方における上方のピン孔５６ａよりさらに上方に、ストッパピン５８が挿入可能なピン孔５６ｃが開口される。作溝器５０は、前記非作業姿勢時に、動力伝達部３５の少なくとも一部を収納部５４内に配置した状態で、ピン孔５６ｃにストッパピン５８を挿入して当該ストッパピン５８で支持棒５２を下方から支えるような状態となるように構成される。
作溝器５０における作溝板５１の収納部５４は、前記略Ｖ字状に形成される左右の斜面間の空間にて構成される。
【００４４】
このように作溝器５０が構成されるので、湛水直播機３０では、作溝器５０の作溝板５１が収納部５４を有さない場合（作溝器５０内に動力伝達部３５を配置不可な構成）よりも、作溝板５１を上方に回動させることができる。
したがって、湛水直播機３０によれば、作溝器５０の非作業姿勢時に、作溝器５０の作溝板５１が収納部５４を有さない場合に比べて作溝板５１が後方に突出しなくなり、湛水直播機３０における作溝器５０の非作業姿勢時の状態をコンパクトに構成することができる。
【００４５】
また、湛水直播機３０では、作溝器５０の非作業姿勢時には、動力伝達部３５の少なくとも一部が収納部５４内に配置されて、動力伝達部３５（第二伝達軸３４の平ギア３４ａ）の後方および側方に作溝器５０の作溝板５１が位置することとなる。
したがって、湛水直播機３０では、作溝器５０の非作業姿勢時に、動力伝達部３５（第二伝達軸３４の平ギア３４ａ）に後下方から接近しようとするものを遮断するようにして動力伝達部３５を保護することができる。
また、湛水直播機３０によれば、作溝器５０の非作業姿勢時には、作溝器５０の作溝板５１によって、圃場からの飛散される泥で動力伝達部３５（第二伝達軸３４の平ギア３４ａ）が汚れることを防止することができる。
【００４６】
なお、湛水直播機３０における作溝器５０の支持ブラケット５６のピン孔５６ａ・５６ｂ・５６ｃについては、このような数量に限定するものではなく、任意の数量としてもよく、また、これらが配置される互いの間隔についても任意の間隔としてもよい。
また、湛水直播機３０における作溝器５０の付勢バネ５７の一端が掛止される掛止ピン５７ａの位置を変更して、付勢バネ５７における作溝板５１および支持棒５２への付勢力を変更可能に構成してもよい。
【００４７】
湛水直播機３０における作溝器５０は、作溝器５０の作業姿勢時に作溝板５１および支持棒５２が圃場から押されて付勢バネ５７の付勢力に抗じて上方に回動しないように、作溝板５１および支持棒５２を固定してもよい。前記作溝器５０の作溝板５１および支持棒５２の固定は、例えば、作溝器５０の作業姿勢時に、作溝板５１および支持棒５２が上方に回動しないように固定する固定ピンを、支持棒５２の上方に位置するように支持ブラケット５６の後部に形成される固定ピン用孔に挿入して、作溝板５１および支持棒５２の上方への回動を固定ピンによって規制する構成とする。
このように、作溝器５０の作業姿勢時に作溝板５１および支持棒５２が付勢バネ５７の付勢力に抗じて上方に回動しないように作溝板５１および支持棒５２を固定することにより、作溝器５０の作業姿勢時に作溝板５１および支持棒５２が圃場から押されても、作溝器５０による作溝をより確実におこなうことができる。
【００４８】
湛水直播機３０の動力伝達部３５は、図２に示すように、複数台の播種装置４０・４０・・のうち隣接する二台の播種装置４０・４０間に形成される空間に配置される。
より詳細には、湛水直播機３０の左方の動力伝達部３５は、左方の二台の播種装置４０・４０における種子ホッパ４１・４１間に形成される空間に配置される。湛水直播機３０の右方の動力伝達部３５は、右方の二台の播種装置４０・４０における種子ホッパ４１・４１間に形成される空間に配置される。
つまり、湛水直播機３０では、動力伝達部３５を配置する空間を別途設けることなく、空スペース（二台の播種装置４０・４０間に形成される空間）を利用して、動力伝達部３５が配置される。
したがって、湛水直播機３０によれば、このように動力伝達部３５が配置されるので、湛水直播機３０が大型化することが抑制される。
【００４９】
薬剤散布装置１６は、薬剤散布装置１６に薬剤を散布する動作をさせる動力が動力伝達部６０を介して伝達されるように構成される。
湛水直播機３０の動力伝達部６０は、第一伝達軸３３からの動力が第三伝達軸６１に伝達する部分である。動力伝達部６０は、図３または図１０に示すように、右方から二台目の播種装置４０における種子ホッパ４１の下方（種子ホッパ４１の二股に形成される部分の間）に形成される空間に配置される。
湛水直播機３０の動力伝達部６０は、第一伝達軸３３の右方の平ギア３３ａとギアケース３６との間に設けられる平ギア３３ｂと、播種フレームから延設されるフレームに支持される第三伝達軸６１に設けられる平ギア６１ａと、が噛合されて、第一伝達軸３３の回転動力が第三伝達軸６１に伝達するように構成される（図３参照）。第一伝達軸３３が回転することによって、第三伝達軸６１が回転する。
【００５０】
湛水直播機３０の第三伝達軸６１は、前記播種装置４０における種子ホッパ４１の下方に形成される空間に配置される。湛水直播機３０の第三伝達軸６１の一端には、回動アームが固設される。湛水直播機３０の回動アームの他端はリンク機構６２の一側に連結され、リンク機構６２の他側は薬剤散布装駆動軸６３に設けられた一方向クラッチに連結される。
湛水直播機３０のリンク機構６２は、前記播種装置４０における種子ホッパ４１の後方において、その下方から上方に亘って配置される。湛水直播機３０のリンク機構６２は、前記第一伝達軸３３の回転を上下動に変換し、更に、この上下動を一方向クラッチにより薬剤散布装駆動軸６３の間欠回転運動に変換するように薬剤散布装駆動軸６３に動力を伝達するように構成される。薬剤散布装駆動軸６３が回転することにより薬剤散布装置１６が薬剤を散布する動作をする。
薬剤散布装駆動軸６３は、前記播種装置４０における種子ホッパ４１の上方において、左右中央部に配置される薬剤散布装置１６内に薬剤散布装駆動軸６３の左端部が貫挿されるように横設される。
以上のようにして、薬剤散布装置１６は、薬剤散布装置１６に薬剤を散布する動作をさせる動力が第一伝達軸３３から動力伝達部６０を介して伝達されるように構成される。
【００５１】
このように、動力伝達部６０は、播種装置４０における種子ホッパ４１の二股に形成される部分の間の空間に配置される。
つまり、湛水直播機３０では、動力伝達部６０を配置する空間を別途設けることなく、空スペース（種子ホッパ４１の二股に形成される部分の間の空間）を利用して、動力伝達部６０が配置される。
したがって、湛水直播機３０によれば、このように動力伝達部６０が配置されるので、湛水直播機３０が大型化することが抑制される。
【符号の説明】
【００５２】
３０    湛水直播機
３３    第一伝達軸
３４    第二伝達軸
３５    動力伝達部
４０    播種機
４１    種子ホッパ
４２    繰出し部
５０    作溝器
５１    作溝板
【図１】
2013021943.tif 000003
【図２】
2013021943.tif 000004
【図３】
2013021943.tif 000005
【図４】
2013021943.tif 000006
【図５】
2013021943.tif 000007
【図６】
2013021943.tif 000008
【図７】
2013021943.tif 000009
【図８】
2013021943.tif 000010
【図９】
2013021943.tif 000011
【図１０】
2013021943.tif 000012